(57)【要約】      （修正有）【課題】折りたたみ式構造の農薬散布車を提供する。【解決手段】頂レバー１１１の下端面に左右対称の第一支持台１０１が固定的に設置され、第一回転接続輪１１４の外表面にワイヤーが設置され、第一支持台の外表面に第一滑り接続柄１０６がスライド可能なように設置され、頂レバーの中の第二円錐形プーリー１１８と離れる端面にねじ軸１０８が固定的に設置され、ねじ軸の外表面に滑り接続ブロック１１７がねじで係合し接続し設置され、滑り接続ブロックが第二滑り接続柄１２５と摺動可能なように係合して接続し、第三電気回転機械の外部に対応して托負荷装置が設置される折りたたみ式構造の農薬散布車。【選択図】図１
2019180383.tif 000002
【特許請求の範囲】
【請求項１】
折りたたみ式構造の農薬散布車であって、頂レバーを含み、前記頂レバーの下端面に左右対称の第一支持台が固定的に設置され、前記第一支持台の下端面に台板が固定的に設置され、前記頂レバーの上端面に左右対称の第二支持台と第三支持台が固定的に設置され、前記第二支持台の上端面に挟接ブロックが固定的に設置され、前記第三支持台の上端面に第一電気回転機械が固定的に設置され、前記第一電気回転機械の出力軸の前端面に第一回転接続輪が固定的に設置され、前記第一回転接続輪の外表面にワイヤーが設置され、前記第一支持台の外表面に第一滑り接続柄がスライド可能なように設置され、前記頂レバーの中に向かう前記第一滑り接続柄の端面に接続ブロックが固定的に設置され、前記接続ブロックの上端面に左右に通り抜けて上に向かうフルートが設置され、前記フルートに第二回転接続輪が回転可能なように設置され、前記第一回転接続輪の外表面に設置されるワイヤーは前記第二回転接続輪を迂回し前記挟接ブロックと固定し、前記頂レバーの中に向かう前記接続ブロックの端面の間に第二滑り接続柄が固定的に設置され、前記第二滑り接続柄の外表面に取付ブロックが固定的に設置され、前記取付ブロックに下に向かう開穴が固定的に設置され、前記開穴の上端壁に第二電気回転機械が固定的に設置され、前記第二電気回転機械の出力軸の下端面に第一円錐形プーリーが固定的に設置され、前記第一円錐形プーリーの左右側に左右対称に第二円錐形プーリーが噛み合って設置され、前記頂レバーの中の前記第二円錐形プーリーと離れる端面にねじ軸が固定的に設置され、前記ねじ軸が回転可能なように前記開穴を通り抜けて前記フルートと回転可能なように係合し接続し、前記ねじ軸の外表面に滑り接続ブロックがねじで係合し接続し設置され、前記滑り接続ブロックが前記第二滑り接続柄と摺動可能なように係合して接続し、前記頂レバーの中に向かう前記接続ブロックの端面に下に向かう圧穴が固定的に設置され、前記圧穴の上端壁に滑り接続筐体が設置され、前記頂レバーの中の前記滑り接続筐体と離れる端面に第三電気回転機械が固定的に設置され、前記第三電気回転機械の出力軸が前記滑り接続筐体の端壁と回転可能なように係合し接続し、前記第三電気回転機械の出力軸の外表面に前記滑り接続筐体と摺動可能なように係合して接続する合板がねじで係合し接続し設置され、前記合板が前記圧穴に入って、前記頂レバーの中の前記圧穴と離れる端面の間に吊板が固定的に設置され、前記吊板の外表面に多くの軸レバーがスライド可能なように設置され、前記軸レバーの下側に取接体が設置され、前記取接体に交換溝が固定的に設置され、前記交換溝の上端壁に上に向かう第一通口が設置され、前記交換溝の下端壁に下に向かう第二通口が設置され、前記軸レバーが前記第一通口に入ってボルトを通じて前記取接体と固定し、前記交換溝に交換ブロックが回転可能なように設置され、前記交換ブロックの下端面にフックが設置され、前記フックが前記第二通口を通り抜けて外部空間に伸びて、前記フックの下側に散布台が設置され、前記散布台の上側に多くの前記散布台に位置し前後に通り抜ける通穴が設置され、前記通穴に円形リングが設置され、前記円形リングが前記フックの外表面に掛けて、前記頂レバーの中の一番外側と離れる前記軸レバーが前記合板に前記圧穴に取り付けられ、前記頂レバーの中に近づく前記軸レバーが前記滑り接続ブロックと固定し、前記第二電気回転機械の外部に托負荷装置が設置され、前記台板が車体に取り付けられ、前記台板に重量ブロックが固定的に設置され、前記頂レバーに高速ベアリングが設置され、前記托負荷装置は衝撃吸収複合板と冷却鉄片を含み、前記衝撃吸収複合板が前記第二電気回転機械の左端と右端に設置され前記第二電気回転機械と固定的に接続し、前記冷却鉄片が前記第二電気回転機械の前端と後端に設置され前記第二電気回転機械と固定的に接続し、前記第三電気回転機械の外部に対応して前記托負荷装置が設置されることを特徴とする折りたたみ式構造の農薬散布車。
【発明の詳細な説明】
【技術分野】
【０００１】
本発明は農業分野に関し、具体的には折りたたみ式構造の農薬散布車に関する。
【背景技術】
【０００２】
農業技術の発展につれて、伝統的な人工手動で農薬を散布することが既に機械化設備に取って代わって、現在の農薬散布設備の噴水口の高さを調整することが不便で、農薬を散布する範囲が少なく、高効率に散布できない。
【先行技術文献】
【特許文献】
【０００３】
【特許文献１】中国特許出願公開第105353689号明細書
【発明の概要】
【発明が解決しようとする課題】
【０００４】
本発明は解決する必要な技術問題に対して折りたたみ式構造の農薬散布車を提供し、それは現在の技術問題を解決できる。
【課題を解決するための手段】
【０００５】
本発明の折りたたみ式構造の農薬散布車は頂レバーを含み、前記頂レバーの下端面に左右対称の第一支持台が固定的に設置され、前記第一支持台の下端面に台板が固定的に設置され、前記頂レバーの上端面に左右対称の第二支持台と第三支持台が固定的に設置され、前記第二支持台の上端面に挟接ブロックが固定的に設置され、前記第三支持台の上端面に第一電気回転機械が固定的に設置され、前記第一電気回転機械の出力軸の前端面に第一回転接続輪が固定的に設置され、前記第一回転接続輪の外表面にワイヤーが設置され、前記第一支持台の外表面に第一滑り接続柄がスライド可能なように設置され、前記頂レバーの中に向かう前記第一滑り接続柄の端面に接続ブロックが固定的に設置され、前記接続ブロックの上端面に左右に通り抜けて上に向かうフルートが設置され、前記フルートに第二回転接続輪が回転可能なように設置され、前記第一回転接続輪の外表面に設置されるワイヤーは前記第二回転接続輪を迂回し前記挟接ブロックと固定し、前記頂レバーの中に向かう前記接続ブロックの端面の間に第二滑り接続柄が固定的に設置され、前記第二滑り接続柄の外表面に取付ブロックが固定的に設置され、前記取付ブロックに下に向かう開穴が固定的に設置され、前記開穴の上端壁に第二電気回転機械が固定的に設置され、前記第二電気回転機械の出力軸の下端面に第一円錐形プーリーが固定的に設置され、前記第一円錐形プーリーの左右側に左右対称に第二円錐形プーリーが噛み合って設置され、前記頂レバーの中の前記第二円錐形プーリーと離れる端面にねじ軸が固定的に設置され、前記ねじ軸が回転可能なように前記開穴を通り抜けて前記フルートと回転可能なように係合し接続し、前記ねじ軸の外表面に滑り接続ブロックがねじで係合し接続し設置され、前記滑り接続ブロックが前記第二滑り接続柄と摺動可能なように係合して接続し、前記頂レバーの中に向かう前記接続ブロックの端面に下に向かう圧穴が固定的に設置され、前記圧穴の上端壁に滑り接続筐体が設置され、前記頂レバーの中の前記滑り接続筐体と離れる端面に第三電気回転機械が固定的に設置され、前記第三電気回転機械の出力軸が前記滑り接続筐体の端壁と回転可能なように係合し接続し、前記第三電気回転機械の出力軸の外表面に前記滑り接続筐体と摺動可能なように係合して接続する合板がねじで係合し接続し設置され、前記合板が前記圧穴に入って、前記頂レバーの中の前記圧穴と離れる端面の間に吊板が固定的に設置され、前記吊板の外表面に多くの軸レバーがスライド可能なように設置され、前記軸レバーの下側に取接体が設置され、前記取接体に交換溝が固定的に設置され、前記交換溝の上端壁に上に向かう第一通口が設置され、前記交換溝の下端壁に下に向かう第二通口が設置され、前記軸レバーが前記第一通口に入ってボルトを通じて前記取接体と固定し、前記交換溝に交換ブロックが回転可能なように設置され、前記交換ブロックの下端面にフックが設置され、前記フックが前記第二通口を通り抜けて外部空間に伸びて、前記フックの下側に散布台が設置され、前記散布台の上側に多くの前記散布台に位置し前後に通り抜ける通穴が設置され、前記通穴に円形リングが設置され、前記円形リングが前記フックの外表面に掛けて、前記頂レバーの中の一番外側と離れる前記軸レバーが前記合板に前記圧穴に取り付けられ、前記頂レバーの中に近づく前記軸レバーが前記滑り接続ブロックと固定し、前記第二電気回転機械の外部に托負荷装置が設置される。
【０００６】
更の技術方案として前記台板が車体に取り付けられ、前記台板に重量ブロックが固定的に設置され、これにより設備の安定性を高める。
【０００７】
更の技術方案として前記頂レバーに高速ベアリングが設置され、これにより設備の昇降性能を高める。
【０００８】
更の技術方案として前記托負荷装置は衝撃吸収複合板と冷却鉄片を含み、前記衝撃吸収複合板が前記第二電気回転機械の左端と右端に設置され前記第二電気回転機械と固定的に接続し、前記冷却鉄片が前記第二電気回転機械の前端と後端に設置され前記第二電気回転機械と固定的に接続し、前記第三電気回転機械の外部に対応して前記托負荷装置が設置される。
【０００９】
本発明の有益な効果は本発明に係る設備は初期状態の時、前記第一電気回転機械は仕事停止状態にあり、前記滑り接続ブロックが内側の限界位置に位置し、前記合板が前記軸レバーを前記圧穴の一番外側の内壁に制限し、これにより上記の構造が初期状態の時に初期位置に位置し、後の仕事を調整でき、有効的に設備の協調性を高める。
【００１０】
設備が動作する時に、散布する必要な左右の間の範囲によって、散布台を調整し、前記第二電気回転機械が動作し、前記第一円錐形プーリーを回転可能なように駆動し、前記第一円錐形プーリーと噛み合う前記第二円錐形プーリーが回転可能なようにした後、前記滑り接続ブロックと連動して外側に運行し、前記軸レバーと連動して外側に運行し、前記フックが前記散布台と連動して外側に移動し、密閉する前記散布台を開き、左右両側の散布範囲を増加し、設備の調節性能を高める。
【００１１】
前記散布台の高さを調整する必要な時、前記第一電気回転機械が前記第一交換輪を回転可能なように駆動し、前記接続ブロックが上下に移動し、前記接続ブロックの高さを変化し前記散布台と連動して高さを変化し、設備の調節便利性を高める。
【００１２】
本発明に係る設備の構造が簡単で、使用が便利で、この設備は第二滑り接続柄式構造を使って散布台と連動して制御し、車輪構造を使ってワイヤーを引いて設備の高さを調整し、有効的に設備の信頼性を高める。
【００１３】
以上に述べたのはただ本発明のより良い実施例で、本発明を限定することに使用されない。本発明の意義と原則のもとで行う全ての修正、同等の入れ替えと改善などは本発明の保護範囲に含まれる。
【発明の効果】
【００１４】
本発明の有益な効果は本発明に係る設備は初期状態の時、前記第一電気回転機械は仕事停止状態にあり、前記滑り接続ブロックが内側の限界位置に位置し、前記合板が前記軸レバーを前記圧穴の一番外側の内壁に制限し、これにより上記の構造が初期状態の時に初期位置に位置し、後の仕事を調整でき、有効的に設備の協調性を高める。
【００１５】
設備が動作する時に、散布する必要な左右の間の範囲によって、散布台を調整し、前記第二電気回転機械が動作し、前記第一円錐形プーリーを回転可能なように駆動し、前記第一円錐形プーリーと噛み合う前記第二円錐形プーリーが回転可能なようにした後、前記滑り接続ブロックと連動して外側に運行し、前記軸レバーと連動して外側に運行し、前記フックが前記散布台と連動して外側に移動し、密閉する前記散布台を開き、左右両側の散布範囲を増加し、設備の調節性能を高める。
【００１６】
前記散布台の高さを調整する必要な時、前記第一電気回転機械が前記第一交換輪を回転可能なように駆動し、前記接続ブロックが上下に移動し、前記接続ブロックの高さを変化し前記散布台と連動して高さを変化し、設備の調節便利性を高める。
【００１７】
本発明に係る設備の構造が簡単で、使用が便利で、この設備は第二滑り接続柄式構造を使って散布台と連動して制御し、車輪構造を使ってワイヤーを引いて設備の高さを調整し、有効的に設備の信頼性を高める。
【図面の簡単な説明】
【００１８】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の折りたたみ式構造の農薬散布車の全体構造概略図である。
【図２】図２は図１の中のAの拡大概略図である。
【図３】図３は図１の中の第一交換輪の俯視構造概略図である。
【図４】図４は本発明の托負荷装置の構造概略図である。
【発明を実施するための形態】
【００２０】
本明細書に開示した全ての特徴、或いは開示した全ての方法、過程中のステップは、互いに排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜4が示すように、本発明の折りたたみ式構造の農薬散布車は  頂レバー111を含み、前記頂レバー111の下端面に左右対称の第一支持台101が固定的に設置され、前記第一支持台101の下端面に台板100が固定的に設置され、前記頂レバー111の上端面に左右対称の第二支持台112と第三支持台116が固定的に設置され、前記第二支持台112の上端面に挟接ブロック113が固定的に設置され、前記第三支持台116の上端面に第一電気回転機械115が固定的に設置され、前記第一電気回転機械115の出力軸の前端面に第一回転接続輪114が固定的に設置され、前記第一回転接続輪114の外表面にワイヤーが設置され、前記第一支持台101の外表面に第一滑り接続柄106がスライド可能なように設置され、前記頂レバー111の中に向かう前記第一滑り接続柄106の端面に接続ブロック107が固定的に設置され、前記接続ブロック107の上端面に左右に通り抜けて上に向かうフルート109が設置され、前記フルート109に第二回転接続輪110が回転可能なように設置され、前記第一回転接続輪114の外表面に設置されるワイヤーは前記第二回転接続輪110を迂回し前記挟接ブロック113と固定し、前記頂レバー111の中に向かう前記接続ブロック107の端面の間に第二滑り接続柄125が固定的に設置され、前記第二滑り接続柄125の外表面に取付ブロック120が固定的に設置され、前記取付ブロック120に下に向かう開穴122が固定的に設置され、前記開穴122の上端壁に第二電気回転機械121が固定的に設置され、前記第二電気回転機械121の出力軸の下端面に第一円錐形プーリー119が固定的に設置され、前記第一円錐形プーリー119の左右側に左右対称に第二円錐形プーリー118が噛み合って設置され、前記頂レバー111の中の前記第二円錐形プーリー118と離れる端面にねじ軸108が固定的に設置され、前記ねじ軸108が回転可能なように前記開穴122を通り抜けて前記フルート109と回転可能なように係合し接続し、前記ねじ軸108の外表面に滑り接続ブロック117がねじで係合し接続し設置され、前記滑り接続ブロック117が前記第二滑り接続柄125と摺動可能なように係合して接続し、前記頂レバー111の中に向かう前記接続ブロック107の端面に下に向かう圧穴201が固定的に設置され、前記圧穴201の上端壁に滑り接続筐体200が設置され、前記頂レバー111の中の前記滑り接続筐体200と離れる端面に第三電気回転機械213が固定的に設置され、前記第三電気回転機械213の出力軸が前記滑り接続筐体200の端壁と回転可能なように係合し接続し、前記第三電気回転機械213の出力軸の外表面に前記滑り接続筐体200と摺動可能なように係合して接続する合板212がねじで係合し接続し設置され、前記合板212が前記圧穴201に入って、前記頂レバー111の中の前記圧穴201と離れる端面の間に吊板104が固定的に設置され、前記吊板104の外表面に多くの軸レバー211がスライド可能なように設置され、前記軸レバー211の下側に取接体210が設置され、前記取接体210に交換溝202が固定的に設置され、前記交換溝202の上端壁に上に向かう第一通口209が設置され、前記交換溝202の下端壁に下に向かう第二通口207が設置され、前記軸レバー211が前記第一通口209に入ってボルトを通じて前記取接体210と固定し、前記交換溝202に交換ブロック208が回転可能なように設置され、前記交換ブロック208の下端面にフック203が設置され、前記フック203が前記第二通口207を通り抜けて外部空間��伸びて、前記フック203の下側に散布台103が設置され、前記散布台103の上側に多くの前記散布台103に位置し前後に通り抜ける通穴205が設置され、前記通穴205に円形リング206が設置され、前記円形リング206が前記フック203の外表面に掛けて、前記頂レバー111の中の一番外側と離れる前記軸レバー211が前記合板212に前記圧穴201に取り付けられ、前記頂レバー111の中に近づく前記軸レバー211が前記滑り接続ブロック117と固定し、前記第二電気回転機械121の外部に托負荷装置が設置される。
【００２３】
好ましくは、前記台板100が車体に取り付けられ、前記台板100に重量ブロックが固定的に設置され、これにより設備の安定性を高める。
【００２４】
好ましくは、前記頂レバー111に高速ベアリングが設置され、これにより設備の昇降性能を高める。
【００２５】
好ましくは、前記托負荷装置は衝撃吸収複合板1211と冷却鉄片1212を含み、前記衝撃吸収複合板1211が前記第二電気回転機械121の左端と右端に設置され前記第二電気回転機械121と固定的に接続し、前記冷却鉄片1212が前記第二電気回転機械121の前端と後端に設置され前記第二電気回転機械121と固定的に接続し、前記冷却鉄片1212が前記第二電気回転機械121が動作する時に発生する熱量を吸収し発散し、前記衝撃吸収複合板1211が前記第二電気回転機械121が動作する時に発生する振動力を減らして、第二電気回転機械121が動作する時に発生する振動力が大きすぎて本装置が振動することを防ぎ、前記第三電気回転機械213の外部に対応して前記托負荷装置が設置される。
【００２６】
本発明に係る設備は初期状態の時、前記第一電気回転機械115は仕事停止状態にあり、前記滑り接続ブロック117が内側の限界位置に位置し、前記合板212が前記軸レバー211を前記圧穴201の一番外側の内壁に制限し、これにより上記の構造が初期状態の時に初期位置に位置し、後の仕事を調整でき、有効的に設備の協調性を高める。
【００２７】
設備が動作する時に、散布する必要な左右の間の範囲によって、散布台103を調整し、前記第二電気回転機械121が動作し、前記第一円錐形プーリー119を回転可能なように駆動し、前記第一円錐形プーリー119と噛み合う前記第二円錐形プーリー118が回転可能なようにした後、前記滑り接続ブロック117と連動して外側に運行し、前記軸レバー211と連動して外側に運行し、前記フック203が前記散布台103と連動して外側に移動し、密閉する前記散布台103を開き、左右両側の散布範囲を増加し、設備の調節性能を高める。
【００２８】
前記散布台103の高さを調整する必要な時、前記第一電気回転機械115が前記第一交換輪114を回転可能なように駆動し、前記接続ブロック107が上下に移動し、前記接続ブロック107の高さを変化し前記散布台103と連動して高さを変化し、設備の調節便利性を高める。
【００２９】
本発明の有益な効果は本発明に係る設備は初期状態の時、前記第一電気回転機械は仕事停止状態にあり、前記滑り接続ブロックが内側の限界位置に位置し、前記合板が前記軸レバーを前記圧穴の一番外側の内壁に制限し、これにより上記の構造が初期状態の時に初期位置に位置し、後の仕事を調整でき、有効的に設備の協調性を高める。
【００３０】
設備が動作する時に、散布する必要な左右の間の範囲によって、散布台を調整し、前記第二電気回転機械が動作し、前記第一円錐形プーリーを回転可能なように駆動し、前記第一円錐形プーリーと噛み合う前記第二円錐形プーリーが回転可能なようにした後、前記滑り接続ブロックと連動して外側に運行し、前記軸レバーと連動して外側に運行し、前記フックが前記散布台と連動して外側に移動し、密閉する前記散布台を開き、左右両側の散布範囲を増加し、設備の調節性能を高める。
【００３１】
前記散布台の高さを調整する必要な時、前記第一電気回転機械が前記第一交換輪を回転可能なように駆動し、前記接続ブロックが上下に移動し、前記接続ブロックの高さを変化し前記散布台と連動して高さを変化し、設備の調節便利性を高める。
【００３２】
本発明に係る設備の構造が簡単で、使用が便利で、この設備は第二滑り接続柄式構造を使って散布台と連動して制御し、車輪構造を使ってワイヤーを引いて設備の高さを調整し、有効的に設備の信頼性を高める。
【００３３】
以上に述べたのはただ本発明のより良い実施例で、本発明を限定することに使用されない。本発明の意義と原則のもとで行う全ての修正、同等の入れ替えと改善などは本発明の保護範囲に含まれる。
【図１】
2019180383.tif 000003
【図２】
2019180383.tif 000004
【図３】
2019180383.tif 000005
【図４】
2019180383.tif 000006
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
農薬散布車であって、頂レバーを含み、前記頂レバーの下側端面に二つの第一支持台が左右対称に固定的に連結され、前記第一支持台の下端面に台板が固定的に設置され、前記頂レバーの上側端面には左右対称に設置された第二支持台と左右対称に設置された第三支持台が設置され、前記第二支持台の上端面にワイヤー挟持ブロックが固定的に設置され、前記第三支持台の上端面に第一電気回転機械が固定的に設置され、前記第一電気回転機械の出力軸の前端面に第一回転接続輪が固定的に設置され、前記第一回転接続輪の外表面にワイヤーが設置され、前記第一支持台の外表面に第一滑り柱がスライド可能なように設置され、左右対称に設置された前記第一滑り柱のうち互いに近接した端には接続ブロックが固定的に設置され、前記接続ブロックの中には上に開いたフルートが左右に貫通するように設置され、前記フルートに第二回転接続輪が回転可能なように設置され、前記第一回転接続輪の外表面に設置されるワイヤーは前記第二回転接続輪を迂回し前記ワイヤー挟持ブロックと固定し、左右対称に設置された前記接続ブロックのうち互いに近接した側の端面の間には第二滑り柱が固定的に連結され、前記第二滑り柱の外表面に取付ブロックが固定的に設置され、前記取付ブロックの中には下に開いた第一空チャンバが設置され、前記第一空チャンバの上端壁に第二電気回転機械が固定的に設置され、前記第二電気回転機械の出力軸の下端面に第一円錐形プーリーが固定的に設置され、前記第一円錐形プーリーの左右側に左右対称に第二円錐形プーリーが噛み合って設置され、左右対称に設置された前記第二円錐形プーリーのうち互いに遠離した側の円形面にはねじ軸が固定的に設置され、前記ねじ軸の外表面に滑りブロックがねじで係合し接続し設置され、前記滑りブロックが前記第二滑り柱と摺動可能なように係合して接続し、前記頂レバーの中に向かう前記接続ブロックの端面に下に向かう第二空チャンバが固定的に設置され、前記第二空チャンバの上端壁に滑りチャンバが設置され、左右対称に設置された前記滑りチャンバのうち互いに遠離した側の内壁の中には第三電気回転機械が固定的に設置され、前記第三電気回転機械の出力軸が前記滑りチャンバの内壁と回転可能に連結され、前記第三電気回転機械の出力軸の外表面に前記滑りチャンバと摺動可能なように係合して接続する合板がねじで係合し接続し設置され、前記合板が前記第二空チャンバに入って、左右対称に設置された前記接続ブロックの間には吊板が設置され、かつ前記吊板の左右両端がそれぞれ左右両側の前記第二空チャンバの内壁に連結され、前記吊板の外表面に多くの軸レバーがスライド可能なように設置され、前記軸レバーの下側に連結ブロックが設置され、前記連結ブロックに第三空チャンバが固定的に設置され、前記第三空チャンバの上端壁に上に向かう第一通口が設置され、前記第三空チャンバの下端壁に下に向かう第二通口が設置され、前記軸レバーが前記第一通口に入ってボルトを通じて前記連結ブロックと固定し、前記第三空チャンバに交換ブロックが回転可能なように設置され、前記交換ブロックの下端面にフックが設置され、前記フックが前記第二通口を通り抜けて外部空間に伸びて、前記フックの下側に散布台が設置され、前記散布台の上側に多くの前記散布台に位置し前後に通り抜ける通穴が設置され、前記通穴に円形リングが設置され、前記円形リングが前記フックの外表面に掛けられており、前記取付ブロックから最大程度で遠離した一つの前記軸レバーが前記合板と前記第二空チャンバの内壁との間に挟持され、前記取付ブロックに最も近接した前記軸レバーが同じ側の前記滑りブロックの下端面と固定的に連結され、前記第二電気回転機械の外部に托負荷装置が設置され、前記台板が車体に取り付けられ、前記台板に重量ブロックが固定的に設置され、前記頂レバーに高速ベアリングが設置され、前記托負荷装置は衝撃吸収複合板と冷却鉄片を含み、前記衝撃吸収複合板が前記第二電気回転機械の左端と右端に設置され前記第二電気回転機械と固定的に接続し、前記冷却鉄片が前記第二電気回転機械の前端と後端に設置され前記第二電気回転機械と固定的に接続し、前記第三電気回転機械の外部に対応して前記托負荷装置が設置されることを特徴とする農薬散布車。
【手続補正２】
【補正対象書類名】明細書
【補正対象項目名】全文
【補正方法】変更
【補正の内容】
【発明の詳細な説明】
【技術分野】
【０００１】
本発明は農業分野に関し、具体的には農薬散布車に関する。
【背景技術】
【０００２】
農業技術の発展につれて、伝統的な人工手動で農薬を散布することが既に機械化設備に取って代わって、現在の農薬散布設備の噴水口の高さを調整することが不便で、農薬を散布する範囲が少なく、高効率に散布できない。
【先行技術文献】
【特許文献】
【０００３】
【特許文献１】中国特許出願公開第105353689号明細書
【発明の概要】
【発明が解決しようとする課題】
【０００４】
本発明は解決する必要な技術問題に対して農薬散布車を提供し、それは現在の技術問題を解決できる。
【課題を解決するための手段】
【０００５】
本発明の農薬散布車は頂レバーを含み、前記頂レバーの下側端面に二つの第一支持台が左右対称に固定的に連結され、前記第一支持台の下端面に台板が固定的に設置され、前記頂レバーの上側端面には左右対称に設置された第二支持台と左右対称に設置された第三支持台が設置され、前記第二支持台の上端面にワイヤー挟持ブロックが固定的に設置され、前記第三支持台の上端面に第一電気回転機械が固定的に設置され、前記第一電気回転機械の出力軸の前端面に第一回転接続輪が固定的に設置され、前記第一回転接続輪の外表面にワイヤーが設置され、前記第一支持台の外表面に第一滑り柱がスライド可能なように設置され、左右対称に設置された前記第一滑り柱のうち互いに近接した端には接続ブロックが固定的に設置され、前記接続ブロックの中には上に開いたフルートが左右に貫通するように設置され、前記フルートに第二回転接続輪が回転可能なように設置され、前記第一回転接続輪の外表面に設置されるワイヤーは前記第二回転接続輪を迂回し前記ワイヤー挟持ブロックと固定し、左右対称に設置された前記接続ブロックのうち互いに近接した側の端面の間には第二滑り柱が固定的に連結され、前記第二滑り柱の外表面に取付ブロックが固定的に設置され、前記取付ブロックの中には下に開いた第一空チャンバが設置され、前記第一空チャンバの上端壁に第二電気回転機械が固定的に設置され、前記第二電気回転機械の出力軸の下端面に第一円錐形プーリーが固定的に設置され、前記第一円錐形プーリーの左右側に左右対称に第二円錐形プーリーが噛み合って設置され、左右対称に設置された前記第二円錐形プーリーのうち互いに遠離した側の円形面にはねじ軸が固定的に設置され、前記ねじ軸の外表面に滑りブロックがねじで係合し接続し設置され、前記滑りブロックが前記第二滑り柱と摺動可能なように係合して接続し、前記頂レバーの中に向かう前記接続ブロックの端面に下に向かう第二空チャンバが固定的に設置され、前記第二空チャンバの上端壁に滑りチャンバが設置され、左右対称に設置された前記滑りチャンバのうち互いに遠離した側の内壁の中には第三電気回転機械が固定的に設置され、前記第三電気回転機械の出力軸が前記滑りチャンバの内壁と回転可能に連結され、前記第三電気回転機械の出力軸の外表面に前記滑りチャンバと摺動可能なように係合して接続する合板がねじで係合し接続し設置され、前記合板が前記第二空チャンバに入って、左右対称に設置された前記接続ブロックの間には吊板が設置され、かつ前記吊板の左右両端がそれぞれ左右両側の前記第二空チャンバの内壁に連結され、前記吊板の外表面に多くの軸レバーがスライド可能なように設置され、前記軸レバーの下側に連結ブロックが設置され、前記連結ブロックに第三空チャンバが固定的に設置され、前記第三空チャンバの上端壁に上に向かう第一通口が設置され、前記第三空チャンバの下端壁に下に向かう第二通口が設置され、前記軸レバーが前記第一通口に入ってボルトを通じて前記連結ブロックと固定し、前記第三空チャンバに交換ブロックが回転可能なように設置され、前記交換ブロックの下端面にフックが設置され、前記フックが前記第二通口を通り抜けて外部空間に伸びて、前記フックの下側に散布台が設置され、前記散布台の上側に多くの前記散布台に位置し前後に通り抜ける通穴が設置され、前記通穴に円形リングが設置され、前記円形リングが前記フックの外表面に掛けられており、前記取付ブロックから最大程度で遠離した一つの前記軸レバーが前記合板と前記第二空チャンバの内壁との間に挟持され、前記取付ブロックに最も近接した前記軸レバーが同じ側の前記滑りブロックの下端面と固定的に連結され、前記第二電気回転機械の外部に托負荷装置が設置される。
【０００６】
更の技術方案として前記台板が車体に取り付けられ、前記台板に重量ブロックが固定的に設置され、これにより設備の安定性を高める。
【０００７】
更の技術方案として前記頂レバーに高速ベアリングが設置され、これにより設備の昇降性能を高める。
【０００８】
更の技術方案として前記托負荷装置は衝撃吸収複合板と冷却鉄片を含み、前記衝撃吸収複合板が前記第二電気回転機械の左端と右端に設置され前記第二電気回転機械と固定的に接続し、前記冷却鉄片が前記第二電気回転機械の前端と後端に設置され前記第二電気回転機械と固定的に接続し、前記第三電気回転機械の外部に対応して前記托負荷装置が設置される。
【０００９】
本発明の有益な効果は本発明に係る設備は初期状態の時、前記第一電気回転機械は仕事停止状態にあり、前記滑りブロックが内側の限界位置に位置し、前記合板が前記軸レバーを前記第二空チャンバの一番外側の内壁に制限し、これにより上記の構造が初期状態の時に初期位置に位置し、後の仕事を調整でき、有効的に設備の協調性を高める。
【００１０】
設備が動作する時に、散布する必要な左右の間の範囲によって、散布台を調整し、前記第二電気回転機械が動作し、前記第一円錐形プーリーを回転可能なように駆動し、前記第一円錐形プーリーと噛み合う前記第二円錐形プーリーが回転可能なようにした後、前記滑りブロックと連動して外側に運行し、前記軸レバーと連動して外側に運行し、前記フックが前記散布台と連動して外側に移動し、密閉する前記散布台を開き、左右両側の散布範囲を増加し、設備の調節性能を高める。
【００１１】
前記散布台の高さを調整する必要な時、前記第一電気回転機械が前記第一交換輪を回転可能なように駆動し、前記接続ブロックが上下に移動し、前記接続ブロックの高さを変化し前記散布台と連動して高さを変化し、設備の調節便利性を高める。
【００１２】
本発明に係る設備の構造が簡単で、使用が便利で、この設備は第二滑り柱式構造を使って散布台と連動して制御し、車輪構造を使ってワイヤーを引いて設備の高さを調整し、有効的に設備の信頼性を高める。
【００１３】
以上に述べたのはただ本発明のより良い実施例で、本発明を限定することに使用されない。本発明の意義と原則のもとで行う全ての修正、同等の入れ替えと改善などは本発明の保護範囲に含まれる。
【発明の効果】
【００１４】
本発明の有益な効果は本発明に係る設備は初期状態の時、前記第一電気回転機械は仕事停止状態にあり、前記滑りブロックが内側の限界位置に位置し、前記合板が前記軸レバーを前記第二空チャンバの一番外側の内壁に制限し、これにより上記の構造が初期状態の時に初期位置に位置し、後の仕事を調整でき、有効的に設備の協調性を高める。
【００１５】
設備が動作する時に、散布する必要な左右の間の範囲によって、散布台を調整し、前記第二電気回転機械が動作し、前記第一円錐形プーリーを回転可能なように駆動し、前記第一円錐形プーリーと噛み合う前記第二円錐形プーリーが回転可能なようにした後、前記滑りブロックと連動して外側に運行し、前記軸レバーと連動して外側に運行し、前記フックが前記散布台と連動して外側に移動し、密閉する前記散布台を開き、左右両側の散布範囲を増加し、設備の調節性能を高める。
【００１６】
前記散布台の高さを調整する必要な時、前記第一電気回転機械が前記第一交換輪を回転可能なように駆動し、前記接続ブロックが上下に移動し、前記接続ブロックの高さを変化し前記散布台と連動して高さを変化し、設備の調節便利性を高める。
【００１７】
本発明に係る設備の構造が簡単で、使用が便利で、この設備は第二滑り柱式構造を使って散布台と連動して制御し、車輪構造を使ってワイヤーを引いて設備の高さを調整し、有効的に設備の信頼性を高める。
【図面の簡単な説明】
【００１８】
本発明の実施例また既存の技術の中の技術方案をもっとはっきりと説明するため、下記に実施例また既存の技術の説明の中に使用する必要がある図面に簡単な紹介を行って、一目でわかることは下記の説明の中の図面はただ本発明のいくつかの実施例で、本領域の当業者にとって、創造的な労働を払わないことを前提に、これらの図面に基づいてそのほかの図面を得ることができる。
【００１９】
【図１】図１は本発明の農薬散布車の全体構造概略図である。
【図２】図２は図１の中のAの拡大概略図である。
【図３】図３は図１の中の第一交換輪の俯視構造概略図である。
【図４】図４は本発明の托負荷装置の構造概略図である。
【発明を実施するための形態】
【００２０】
本明細書に開示した全ての特徴、或いは開示した全ての方法、過程中のステップは、互いに排斥する特徴或いはステップ以外に、いかなる方式で組み合わせることができる。
【００２１】
本明細書に開示した全ての特徴は、特別な記述がない限り、そのほかの同等或いは類似する目的を持つ代替的な特徴に取り替えられる。つまり特別な記述がない限り、全ての特徴はただ一連の同等或いは類似する特徴の中の一つの例だけである。
【００２２】
図1〜4が示すように、本発明の農薬散布車は  頂レバー111を含み、前記頂レバー111の下側端面に二つの第一支持台101が左右対称に固定的に連結され、前記第一支持台101の下端面に台板100が固定的に設置され、前記頂レバー111の上側端面には左右対称に設置された第二支持台112と左右対称に設置された第三支持台116が設置され、前記第二支持台112の上端面にワイヤー挟持ブロック113が固定的に設置され、前記第三支持台116の上端面に第一電気回転機械115が固定的に設置され、前記第一電気回転機械115の出力軸の前端面に第一回転接続輪114が固定的に設置され、前記第一回転接続輪114の外表面にワイヤーが設置され、前記第一支持台101の外表面に第一滑り柱106がスライド可能なように設置され、左右対称に設置された前記第一滑り柱106のうち互いに近接した端には接続ブロック107が固定的に設置され、前記接続ブロック107の中には上に開いたフルート109が左右に貫通するように設置され、前記フルート109に第二回転接続輪110が回転可能なように設置され、前記第一回転接続輪114の外表面に設置されるワイヤーは前記第二回転接続輪110を迂回し前記ワイヤー挟持ブロック113と固定し、左右対称に設置された前記接続ブロック107のうち互いに近接した側の端面の間には第二滑り柱125が固定的に連結され、前記第二滑り柱125の外表面に取付ブロック120が固定的に設置され、前記取付ブロック120の中には下に開いた第一空チャンバ122が設置され、前記第一空チャンバ122の上端壁に第二電気回転機械121が固定的に設置され、前記第二電気回転機械121の出力軸の下端面に第一円錐形プーリー119が固定的に設置され、前記第一円錐形プーリー119の左右側に左右対称に第二円錐形プーリー118が噛み合って設置され、左右対称に設置された前記第二円錐形プーリー118のうち互いに遠離した側の円形面にはねじ軸108が固定的に設置され、前記ねじ軸108の外表面に滑りブロック117がねじで係合し接続し設置され、前記滑りブロック117が前記第二滑り柱125と摺動可能なように係合して接続し、前記頂レバー111の中に向かう前記接続ブロック107の端面に下に向かう第二空チャンバ201が固定的に設置され、前記第二空チャンバ201の上端壁に滑りチャンバ200が設置され、左右対称に設置された前記滑りチャンバ200のうち互いに遠離した側の内壁の中には第三電気回転機械213が固定的に設置され、前記第三電気回転機械213の出力軸が前記滑りチャンバ200の内壁と回転可能に連結され、前記第三電気回転機械213の出力軸の外表面に前記滑りチャンバ200と摺動可能なように係合して接続する合板212がねじで係合し接続し設置され、前記合板212が前記第二空チャンバ201に入って、左右対称に設置された前記接続ブロック107の間には吊板104が設置され、かつ前記吊板104の左右両端がそれぞれ左右両側の前記第二空チャンバ201の内壁に連結され、前記吊板104の外表面に多くの軸レバー211がスライド可能なように設置され、前記軸レバー211の下側に連結ブロック210が設置され、前記連結ブロック210に第三空チャンバ202が固定的に設置され、前記第三空チャンバ202の上端壁に上に向かう第一通口209が設置され、前記第三空チャンバ202の下端壁に下に向かう第二通口207が設置され、前記軸レバー211が前記第一通口209に入ってボルトを通じて前記連結ブロック210と固定し、前記第三空チャンバ202��交換ブロック208が回転可能なように設置され、前記交換ブロック208の下端面にフック203が設置され、前記フック203が前記第二通口207を通り抜けて外部空間に伸びて、前記フック203の下側に散布台103が設置され、前記散布台103の上側に多くの前記散布台103に位置し前後に通り抜ける通穴205が設置され、前記通穴205に円形リング206が設置され、前記円形リング206が前記フック203の外表面に掛けられており、前記取付ブロック120から最大程度で遠離した一つの前記軸レバー211が前記合板212と前記第二空チャンバ201の内壁との間に挟持され、前記取付ブロック120に最も近接した前記軸レバー211が同じ側の前記滑りブロック117の下端面と固定的に連結され、前記第二電気回転機械121の外部に托負荷装置が設置される。
【００２３】
好ましくは、前記台板100が車体に取り付けられ、前記台板100に重量ブロックが固定的に設置され、これにより設備の安定性を高める。
【００２４】
好ましくは、前記頂レバー111に高速ベアリングが設置され、これにより設備の昇降性能
を高める。
【００２５】
好ましくは、前記托負荷装置は衝撃吸収複合板1211と冷却鉄片1212を含み、前記衝撃吸収複合板1211が前記第二電気回転機械121の左端と右端に設置され前記第二電気回転機械121と固定的に接続し、前記冷却鉄片1212が前記第二電気回転機械121の前端と後端に設置され前記第二電気回転機械121と固定的に接続し、前記冷却鉄片1212が前記第二電気回転機械121が動作する時に発生する熱量を吸収し発散し、前記衝撃吸収複合板1211が前記第二電気回転機械121が動作する時に発生する振動力を減らして、第二電気回転機械121が動作する時に発生する振動力が大きすぎて本装置が振動することを防ぎ、前記第三電気回転機械213の外部に対応して前記托負荷装置が設置される。
【００２６】
本発明に係る設備は初期状態の時、前記第一電気回転機械115は仕事停止状態にあり、前記滑りブロック117が内側の限界位置に位置し、前記合板212が前記軸レバー211を前記第二空チャンバ201の一番外側の内壁に制限し、これにより上記の構造が初期状態の時に初期位置に位置し、後の仕事を調整でき、有効的に設備の協調性を高める。
【００２７】
設備が動作する時に、散布する必要な左右の間の範囲によって、散布台103を調整し、前記第二電気回転機械121が動作し、前記第一円錐形プーリー119を回転可能なように駆動し、前記第一円錐形プーリー119と噛み合う前記第二円錐形プーリー118が回転可能なようにした後、前記滑りブロック117と連動して外側に運行し、前記軸レバー211と連動して外側に運行し、前記フック203が前記散布台103と連動して外側に移動し、密閉する前記散布台103を開き、左右両側の散布範囲を増加し、設備の調節性能を高める。
【００２８】
前記散布台103の高さを調整する必要な時、前記第一電気回転機械115が前記第一交換輪114を回転可能なように駆動し、前記接続ブロック107が上下に移動し、前記接続ブロック107の高さを変化し前記散布台103と連動して高さを変化し、設備の調節便利性を高める。
【００２９】
本発明の有益な効果は本発明に係る設備は初期状態の時、前記第一電気回転機械は仕事停止状態にあり、前記滑りブロックが内側の限界位置に位置し、前記合板が前記軸レバーを前記第二空チャンバの一番外側の内壁に制限し、これにより上記の構造が初期状態の時に初期位置に位置し、後の仕事を調整でき、有効的に設備の協調性を高める。
【００３０】
設備が動作する時に、散布する必要な左右の間の範囲によって、散布台を調整し、前記第二電気回転機械が動作し、前記第一円錐形プーリーを回転可能なように駆動し、前記第一円錐形プーリーと噛み合う前記第二円錐形プーリーが回転可能なようにした後、前記滑りブロックと連動して外側に運行し、前記軸レバーと連動して外側に運行し、前記フックが前記散布台と連動して外側に移動し、密閉する前記散布台を開き、左右両側の散布範囲を増加し、設備の調節性能を高める。
【００３１】
前記散布台の高さを調整する必要な時、前記第一電気回転機械が前記第一交換輪を回転可能なように駆動し、前記接続ブロックが上下に移動し、前記接続ブロックの高さを変化し前記散布台と連動して高さを変化し、設備の調節便利性を高める。
【００３２】
本発明に係る設備の構造が簡単で、使用が便利で、この設備は第二滑り柱式構造を使って散布台と連動して制御し、車輪構造を使ってワイヤーを引いて設備の高さを調整し、有効的に設備の信頼性を高める。
【００３３】
以上に述べたのはただ本発明のより良い実施例で、本発明を限定することに使用されない。本発明の意義と原則のもとで行う全ての修正、同等の入れ替えと改善などは本発明の保護範囲に含まれる。